(57)【要約】  【課題】耐久性及び動作の確実性に優れた照光式スイッチ構造を提供する。  【解決手段】嵌合孔１１が形成された基板１０と、スイッチングのために往復動可能に設けられた被駆動部２３を有し基板１０に固定されたスイッチユニット２０と、発光部（ＬＥＤ３０）と、押し釦４０とを備え、押し釦４０は、外端部に設けられて基板１０との間に発光部を収容する空所５５を形成し、発光部の光を透過させる透光部５２２と、押し釦４０の一方の側部５１１ａから延びて嵌合孔１１に挿通され基板に係止する係止爪６０と、係止爪６０の先端部との間に基板１０を挟持する挟持突起７０と、押し釦４０の他方の側部５１１ｃに設けられスイッチユニット２０の被駆動部２３と結合した結合部８０，８０Ａとを備えている照光式スイッチ構造及び該構造のための押し釦。【選択図】図２
2010218810.tif 000002
【特許請求の範囲】
【請求項１】
嵌合孔が形成された基板と、
スイッチングのために往復動可能に設けられた被駆動部を有し前記基板に固定されたスイッチユニットと、
前記スイッチユニットに隣設され前記基板に固定された発光部と、
前記スイッチユニットを駆動するために前記嵌合孔を介して前記基板に取り付けられた押し釦とを備え、
前記押し釦は、
該押し釦における前記基板から遠ざかる側の外端部に設けられて前記基板との間に前記発光部を収容する空所を形成し、前記発光部に対向して該発光部の光を透過させる透光部と、
該押し釦の一方の側部に設けられて前記基板の嵌合孔に挿通されるように延び、挿通された先端部で前記基板に係止する係止爪と、
該係止爪と同じ側部において該押し釦に設けられ前記係止爪との間に前記基板を挟持する挟持突起と、
該押し釦の他方の側部に設けられ前記スイッチユニットの被駆動部と結合して前記外端部に及ぼされる押し操作を該被駆動部に伝える結合部とを備えていることを特徴とする照光式スイッチ構造。
【請求項２】
前記結合部が、前記スイッチユニットの被駆動部の往復動における両動作方向において該被駆動部と共に動作するように該被駆動部に係合していることを特徴とする請求項１に記載の照光式スイッチ構造。
【請求項３】
前記係止爪の両側に前記挟持突起が配置されていることを特徴とする請求項１又は２に記載の照光式スイッチ構造。
【請求項４】
隣設されたスイッチユニットと発光部とを基板上で覆って照光式スイッチを構成し、押し操作を受けてスイッチユニットを駆動させるように取り付けられる押し釦であって、
基板に装着されたときに発光部を収容する空所を形成するように基板面から離反して位置する外端部に設けられ、発光部の光を透過させる透光部と、
基板に設けられた嵌合孔に挿通されるように一側部から延び、挿通された先端部で基板に係止する係止爪と、
該係止爪と同じ側部に設けられ前記係止爪との間に基板を挟持する挟持突起と、
前記係止爪に対向する側部に設けられ、スイッチユニットの被駆動部と結合されることにより、前記外端部に及ぼされる押し操作を該被駆動部に伝える結合部とを備えていることを特徴とする照光式スイッチ用押し釦。
【発明の詳細な説明】
【技術分野】
【０００１】
本発明は、電子鍵盤楽器や音響ミキサ等の各種電子機器に適用される照光式スイッチ構造及び該構造のための押し釦に関する。
【背景技術】
【０００２】
電子鍵盤楽器や音響ミキサ等の各種電子機器には、照光式スイッチ構造が多用されている。この種のスイッチ構造は、使用者が手指で押し釦を押す毎に、オン・オフ等のスイッチングを行なうものである。そのスイッチング状態を明示するために、押し釦の内側には発光部が配置され、スイッチング状態が変わる毎に発光部の点滅の切り替えが行なわれる。このため、照光式スイッチ構造においては、スイッチユニットと発光部とを覆う形で押し釦が基板上に上下動可能に設けられる。
【０００３】
従来のこの種の照光式スイッチ構造として種々の形態のものが用いられ提案されている。例えば、特許文献１に記載のスイッチ構造は、押し釦（操作子）の下方にタクトスイッチ等の機能設定手段と発光素子とが配設され、操作子は基板に固定される基端部に薄肉の揺動ヒンジを介して結合されたものである。押し釦の押し操作をする毎にスイッチングが行なわれ、これに伴って発光素子の点滅が切り替えられる。
【０００４】
特許文献２に記載のスイッチ構造は、スイッチユニット、押し釦ユニット及び発光部が設けられた基板にガイド用穴が形成され、押し釦ユニットに結合されたガイドピンがガイド用穴に挿通されたものである。押し釦ユニットは、押下操作部を押すと、ガイドピンがガイド穴に案内されて直線的に移動し、押し釦ユニットは平行移動する。したがって、押し釦ユニットは押し操作をする毎に平行移動による往復動をなし、スイッチユニットのスイッチングと発光部の点滅切替が行なわれる。
【先行技術文献】
【特許文献】
【０００５】
【特許文献１】特許第３７９４３３７号公報
【特許文献２】特許第４０４６０３２号公報
【発明の概要】
【発明が解決しようとする課題】
【０００６】
しかしながら、特許文献１に記載のような薄肉の揺動ヒンジを介して結合された操作子を備えたスイッチ構造では、多数回の繰り返し操作を受けることにより、材料の疲労等により損傷を生じやすく、動作が不安定となったり機能しなくなったりすることがある。
【０００７】
また、特許文献２に記載のようなガイドピンとガイド穴による平行移動に基づく往復動を行なうスイッチ構造では、傾きのない正確な平行移動を行なわせるためにガイドピンとガイド穴との間隙を小さくするよう高い寸法精度が要求される。一方、ガイドピンとガイド穴との径が接近しすぎると、押し操作の方向がガイドピンの移動方向と異なった場合に、押し釦の移動が円滑に行なわれなくなる。このような点から、この文献記載の構造では、ピンの滑りを良くするための筒状のガイド部材を基板に挿着することも記載されているが、操作方向とピンの移動方向のずれに対して、円滑な動作を確実に得るには不十分である。
【０００８】
本発明は、これらの従来技術の問題を解消し、繰り返し操作に対する耐久性及び動作の確実性に優れた照光式スイッチ構造及び該構造のための押し釦を提供することを目的とする。
【課題を解決するための手段】
【０００９】
本発明は、前記目的を達成するため、嵌合孔１１が形成された基板１０と、スイッチングのために往復動可能に設けられた被駆動部２３を有し前記基板１０に固定されたスイッチユニット２０と、前記スイッチユニットに隣設され前記基板１０に固定された発光部（ＬＥＤ３０）と、前記スイッチユニット２０を駆動するために前記嵌合孔を介して前記基板１０に取り付けられた押し釦４０とを備え、前記押し釦４０は、前記基板１０上に位置し該基板から遠ざかる側の外端部に設けられて前記基板との間に前記発光部を収容する空所５５を形成し、前記発光部に対向して該発光部の光を透過させる透光部５２２と、前記押し釦４０の一方の側部５１１ａに設けられて前記基板の嵌合孔１１に挿通されるように延び、挿通された先端部（フック部６２）で前記基板に係止する係止爪６０と、該係止爪と同じ側部５１１ａにおいて前記押し釦４０に設けられ前記係止爪６０との間に前記基板を挟持する挟持突起７０と、該押し釦４０の他方の側部５１１ｃに固着され前記スイッチユニット２０の被駆動部２３と結合して前記外端部に及ぼされる押し操作を該被駆動部２３に伝える結合部８０，８０Ａとを備えていることを特徴とする照光式スイッチ構造を提供する。
【００１０】
本発明はまた、前記目的を達成するため、隣設されたスイッチユニット２０と発光部とを基板１０上で覆って照光式スイッチを構成し、押し操作を受けてスイッチユニット２０を駆動させるように取り付けられる押し釦４０であって、基板１０に装着されたときに発光部を収容する空所５５を形成するように基板面から離反して位置する外端部に設けられ、発光部の光を透過させる透光部５２２と、基板１０に設けられた嵌合孔１１に挿通されるように一側部から延び、挿通された先端部で基板に係止する係止爪６０と、該係止爪と同じ側部に設けられ前記係止爪との間に基板１０を挟持する挟持突起７０と、前記係止爪６０に対向する側部に設けられ、スイッチユニット２０の被駆動部２３と結合されることにより、前記外端部に及ぼされる押し操作を該被駆動部２３に伝える結合部８０，８０Ａとを備えていることを特徴とする照光式スイッチ用押し釦を提供する。
［作用］
【００１１】
本発明に係る照光式スイッチ構造においては、基板上に位置する押し釦が、基板から遠ざかる側の外端部でスイッチングのための押し操作を受け、押し釦の前記外端部に設けられ発光部に対向する透光部が発光部の光を透過させて、照光式スイッチとして機能する。
【００１２】
そして、押し釦は、前記外端部に設けられた透光部が、前記基板との間に前記発光部を収容する空所を形成し、押し釦の側部にはスイッチユニットの被駆動部と結合して前記外端部に及ぼされる押し操作を該被駆動部に伝える結合部を備えている。これにより、押し釦は、スイッチユニットと発光部とを基板上で隣設させた状態で発光部を覆い、スイッチングのための押し操作を受けることができる。
【００１３】
また、押し釦の一方の側部には係止爪と挟持突起とが設けられ、係止爪は、基板の嵌合孔に挿通されるように延びて挿通された先端部で基板に係止し、挟持突起は係止爪との間に基板を挟持する。押し釦の他方の側部に設けられた結合部は、スイッチユニットの被駆動部と結合して押し釦に及ぼされる押し操作を該被駆動部に伝える。
【００１４】
したがって、押し釦は、一方の側部が係止爪と挟持突起とによる基板挟持部分で揺動の支点部となって、押し操作に伴って揺動する。その揺動は、押し釦の他方の側部に位置する結合部によってスイッチユニットに伝えられ、押し操作によるスイッチングが行なわれることなる。
【００１５】
この構造は、係止爪と挟持突起とが基板を挟持して支点部を形成するので、薄肉の揺動ヒンジを設ける必要がなく、繰り返し操作を受けても材料の疲労等による損傷を受け難い。したがって、繰り返し操作に対する優れた耐久性が得られる。また、押し釦は揺動動作をするので、平行移動をするガイド構造のような高い寸法精度が要求されない。したがって、精度不良による円滑動作の妨げが生じ難く、優れた動作の確実性が得られる。
【００１６】
前記結合部は、前記スイッチユニットの被駆動部の往復動における両動作方向において該被駆動部と共に動作するように該被駆動部に係合したものとすることができる。これにより、結合部と被駆動部とが連動するので、押し込み等のスイッチング動作に対するばね力等による戻り機能が、スイッチユニットに設けられている場合は、押し釦側に戻り機能を持たせる必要がない。尤も戻り機能をより確実にするために、スイッチユニット側及び押し釦側の双方にばね等による戻り機能を持たせてもよい。
【００１７】
前記照光式スイッチ構造は、前記係止爪６０の両側に前記挟持突起７０が配置されたものとすることができる（図３参照）。これにより、前記係止爪と前記挟持突起による基板の挟持状態及び押し釦の揺動がより安定するので、より確実なスイッチング動作が可能となる。
【００１８】
本発明に係る押し釦は、上記照光式スイッチ構造について述べたと同様に、発光部を収容する空所を形成する外端部に設けられた透光部と、嵌合孔に挿通されて基板に係止する係止爪と、前記係止爪との間に基板を挟持する挟持突起と、前記係止爪に対向する側部に設けられスイッチユニットの被駆動部と結合される結合部とを備えている。したがって、基板上のスイッチユニットに結合し発光部を覆うようにして基板に取り付けられることにより、上記照光式スイッチ構造を構成し、該構造と同じ作用効果を奏する。
【発明の効果】
【００１９】
以上の通り、本発明によれば、繰り返し操作に対する耐久性及び動作の確実性に優れた照光式スイッチ構造及び該構造のための押し釦を提供することができる。
【図面の簡単な説明】
【００２０】
【図１】本発明に係る照光式スイッチ構造を装備した電子ピアノの一例を示し、(a) はその平面図、(b) は制御パネル部を拡大して示す平面図、(c) は照光式スイッチ構造の一部を拡大して示す斜視図である。
【図２】本発明の一実施形態に係る照光式スイッチ構造を示す、図１(b) のII−II線に沿う断面図である。
【図３】図２に示した照光式スイッチ構造をスイッチユニットのある側の下方から見た斜視図である。
【図４】本発明の他の実施形態に係る照光式スイッチ構造を示す縦断側面図である。
【図５】図４のV−V線に沿う断面である。
【発明を実施するための形態】
【００２１】
以下、本発明の実施形態について添付図面を参照しつつ説明する。図面中の同一又は同種の部分については、同じ番号を付して説明を一部省略する。
【００２２】
図１(a) は、本発明に係る照光式スイッチ構造を装備した電子ピアノを示す平面図である。この電子ピアノは、鍵盤Ｋの奧側（演奏者から遠い側）に音色、音質、エフェクト等の制御パラメータの設定や切り換えを行なうための制御パネル部Ｐを備えている。図１(b) は、制御パネル部Ｐを拡大して示している。制御パネル部Ｐには、照光式スイッチ構造の押し釦Ａの他、スライド式操作子Ｂ、照光機能のない押し釦Ｃ、回転式操作子Ｄ等が設けられている。
【００２３】
図２及び図３は、本発明の一実施形態に係る照光式スイッチ構造を示しており、図２は図１(b) のII−II線に沿う断面図、図３は該構造をスイッチユニットのある側の下方から見た斜視図である。このスイッチ構造は、制御パネル部ＰのパネルＰ０の内側に配置された基板１０に結合されている。本発明の照光式スイッチ構造は上下の方向を問わず用いられるものであるが、以下では、説明の都合上、パネルＰ０のある側を上、基板１０のある側を下として説明する。
【００２４】
このスイッチ構造は、スイッチユニット２０、発光部であるＬＥＤ３０、これらに結合された押し釦４０を備えている。
【００２５】
基板には制御パラメータの送受信や各種制御のための電子部品が装着されていると共に、押し釦取り付け用の嵌合孔１１、スイッチユニット２０の端子２１を通す通孔１２、発光部であるＬＥＤ３０の端子３１を通す通孔１３が形成されている。
【００２６】
スイッチユニット２０は、端子２１を通孔１２に通して基板１０上に装着された基部２２と、該基部に支持され該基部の装着面を横切る方向に往復動可能とされた被駆動部２３とを備えている。被駆動部２３は、基部２２に往復動可能に支持された胴部２３１と、該胴部から上方へ延び胴部より径の小さい首部２３２と、該首部から上方へ延び首部より径の大きい頭部２３３とを一体的に備えている。胴部２３１は横断面が円形とされ、首部２３２及び頭部２３３は横断面が矩形とされている。
【００２７】
ＬＥＤ３０は、基板１０上においてスイッチユニット２０に隣り合って装着されており、主出射方向を基板１０に垂直な方向とし、基板から遠ざかる方向に光を発するように配置されている。スイッチユニット２０及びＬＥＤ３０には信号線及び電力供給線が接続されているが、図示は省略している。
【００２８】
押し釦４０は、全体がほぼ直方体形状をなし、基板上に位置する躯体５０を備えている。この実施形態では、躯体５０は、基板１０に対して揺動可能な枠部５１と、該枠部に固着された被操作部５２とを備えている。
【００２９】
躯体５０の枠部５１は、基板１０から立ち上がる用に位置する側壁５１１と、基板１０から離反して位置する外端部をなす天壁５１２とを備え、天壁５１２には開口部５１２’が設けられている。被操作部５２は、側壁５２１と天壁５２２とを備え、下端部は開放されて外向きフランジ５２３が設けられている。枠部５１に対して被操作部５２は、フランジ５２３が枠部５１の天壁５１２の下面に接し、側壁５２１が開口部５１２’から上方へ突出している。そして、被操作部５２の上部（基板１０から遠ざかる側の部分）が、パネルＰ０の開口部Ｐ１から突出し、スイッチングのための押し操作を受ける押し釦Ａとして機能する。
【００３０】
躯体５０は、天壁５２２と基板１０との間にＬＥＤ３０（発光部）を収容する空所５５を形成している。また、被操作部５２は透明な樹脂で形成されており、天壁５２２がＬＥＤ３０に対向して位置し、該ＬＥＤの光を透過させる透光部５２２’として機能する。枠部５１と被操作部５２とは、二色成形により一体的に形成されている。尤も、両者は別個に成形して接着等により結合してもよいし、全体を一つの成形体としてもよい。
【００３１】
躯体５０の一方の側部には、係止爪６０及び挟持突起７０が設けられている。係止爪６０は、枠部５１の側壁５１１ａのほぼ中央高さから下方へ枠部５１の下端を越えて延びた延在部６１と、該延在部６１の下端部に設けられたフック部６２とを備えている。側壁５１１ａにおける延在部６１の両側部分は、側壁５１１ａ下端から延在部６１上端の位置までが開口部５１３として切り欠かれている。
係止爪６０は、枠部５１の側壁５１１ａから下方へ延びて基板１０の嵌合孔１１に挿通され、フック部６２が基板１０に係止している。
【００３２】
挟持突起７０は、該挟持突起が設けられた側壁５１１ａに隣り合う２つの側壁５１１ｂより僅かに下方へ延びており、側壁５１１ａにおける開口部５１３の隣接部分の下端によって形成されている。挟持突起７０における基板１０に接する部分は、厚さ方向に円弧状の丸みを持った接触部７１となっている。基板１０の嵌合孔１１は、フック部６２の係止位置から躯体５０内側へ広がり、フック部６２を緩く通し得る大きさとされている。
【００３３】
係止爪６０と挟持突起７０とは、基板１０を基板厚さ方向に挟持することにより、挟持部分４１を支点部として躯体５０を揺動可能に支持している（揺動方向を図２にＳで示す）。以下では、これら係止爪６０及び挟持突起７０の並設方向を揺動軸方向と称し（図３にＷで示す）、これに垂直な面を揺動面と称することとする。図１(c) は、このフック部６２及び嵌合孔１１近傍の基板を示している。係止爪６０が嵌合孔１１に通されて基板１０に係止した状態においては、フック部６２の上面６２ａが基板１０裏面の４１ｃで示す箇所に接し、挟持突起７０は一点鎖線４１ａ，４１ｂで示す箇所に接して、基板１０を挟持し、揺動の支点部を形成する。
【００３４】
また、図１(c) に示すように、係止爪６０は、フック部６２上面の幅方向中央部から上方へ短く延びるリブ６３を備えている。そして、嵌合孔１１には、リブ６３に対応して切欠きが設けられ、リブ６３の側面６３ａに僅かな隙間をおいて対向する切欠き側部１１ａが形成されている。係止爪６０が嵌合孔１１に通されて基板１０に係止した状態においては、リブ６３の両側面６３ａには切欠き側部１１ａが対峙し、これによりリブ６３が位置決めされる。このリブ６３の位置決めによって、フック部６２及びこれを備えている押し釦４０も位置決めされる。したがって、リブ６３を押し釦４０の幅方向の中心を通る面（回動軸に垂直な面）に沿って延びるように設けることにより、押し釦４０を基板１０に装着する際の中心決めを行なうことができ、スイッチユニットの位置誤差を小さくし、正確な位置への装着を容易に行なうことができる。
【００３５】
躯体５０における係止爪６０とは反対側の側部５１１ｃには結合部８０が設けられている。結合部８０は、横断面矩形の筒状をなし、揺動軸方向に対向する側壁８１と揺動面に沿う方向に対向する側壁８２とを有し、下端が開放されている。側壁８１及び８２は、スイッチユニット２０の頭部２３３の側面に沿うようにして受け入れる。揺動面に沿いに対向する側壁８２は、下端が内側へ鉤状に曲折されて係止部８２１となっており、スイッチユニット２０の首部２３２と頭部２３３との段差部に係止する。これにより、結合部８０は、スイッチユニットの被駆動部の往復動（上下動）における両方向において該被駆動部と共に動作するように該被駆動部に係合している。
【００３６】
基板１０上に照光式スイッチ構造を形成するには、先ず、スイッチユニット２０及びＬＥＤ３０（発光部）の端子２１，３１を各々通孔１２，１３に挿入してこれらを固定する。次に、押し釦４０を装着する。これは、躯体５０の係止爪６０を嵌合孔１１に通し、結合部８０をスイッチユニット２０の被駆動部２３に結合することにより行なわれる。結合部８０の結合は、スイッチユニット２０の頭部２３３に結合部８０の側壁８１，８２を被せるようにして、係止部８２１を首部２３２に係止させる。係止爪６０は、フック部６２を嵌合孔１１に通して基板１０の裏側に至らしめる。このとき、係止爪６０は、延在部６１を躯体５０内側へ弾性的に曲げてフック部６２を嵌合孔１１に挿入する。挿入後は係止爪６０の弾性力によりフック部６２が基板１０の嵌合孔１１の縁部に係合する。これに関し、係止爪６０は、係止爪６０両側の側壁５１１ａの一部を切り欠くことにより、延在部６１がその分長くなっているので、は嵌合孔１１への挿入の際に、弾性変形させやすくなっている。
【００３７】
照光式スイッチ構造はこのように構成されているので、使用者が被操作部５２（押し釦Ａ）を押すと、躯体５０は係止爪６０と挟持突起７０とによる基板１０の挟持部分４１を中心として揺動し、これに伴って結合部８０がスイッチユニット２０の被駆動部２３を押し込む。側壁５２１の押圧力を解除すると、スイッチユニット２０に内蔵されたばねの力により結合部８０が押し戻されて元の位置に戻る。こうして、スイッチユニット２０のスイッチング動作が行なわれる。なお、詳細には、被操作部５２が押圧されたとき、躯体５０は、基板１０に向かう力を受け、挟持突起７０の先端部を中心として揺動し、押圧が解除されたとき、躯体５０は、基板１０から遠ざかる方向に力を受け、基板１０に接するフック部６２の係止部を中心として揺動する。
【００３８】
したがって、このスイッチ構造によれば、薄肉の揺動ヒンジを必要とすることなくスイッチング動作のための躯体５０の揺動が可能となり、繰り返し操作に対する優れた耐久性が得られる。また、躯体の揺動動作は、基板１０を挟持するように係止爪６０と挟持突起７０とを設ければよいので、平行移動のためのガイド構造のような高い寸法精度が要求されず、精度不良による円滑動作の妨げが生じ難く、優れた動作の確実性が得られる。
【００３９】
図４及び図５は、本発明の他の実施形態に係る照光式スイッチ構造を示している。図４は縦断側面図、図５は縦断正面図であり、図４は図５のIV−IV線に沿う断面、図５は図４のV−V線に沿う断面に相当する。なお、図５では、スイッチユニット２０は断面を示さず、正面から見た外形を示している。
【００４０】
このスイッチ構造は、先の実施形態とほぼ同様の構造を有しているが、結合部の形態を異にする。この実施形態に係るスイッチ構造の結合部８０Ａは、スイッチユニット２０の被駆動部２３の上端部を上下から挟持する形態となっている。スイッチユニット２０の被駆動部２３は、上下方向に往復動可能とされており、基部２２から上方へ延びた首部２３４と該首部の上方に位置する頭部２３５とを備えている。この例では、頭部２３５は上下方向の寸法が小さく、フランジ状に形成されている。
【００４１】
結合部８０Ａは、枠部５１の側壁５１１ｃの揺動軸方向中央部から揺動面に沿う方向に突出した中央壁８３と、該中央壁から両側へ離れた位置において側壁５１１から中央壁８３に平行に突出した１対の側部壁８４とを備えている。中央壁８３は、下端がスイッチユニット２０の頭部２３５の上端面に接し、１対の側部壁８４は、両側方からスイッチユニット２０側に延び、先端部８４１が頭部２３５の下面に接している。これにより、結合部８０Ａは、スイッチユニット２０の被駆動部２３と結合され、スイッチユニットの被駆動部の往復動（上下動）における両方向において該被駆動部と共に動作する。
【００４２】
躯体５０は、先の実施形態と同様にして、係止爪６０と挟持突起７０とによる基板１０の挟持部分４１を支点部として揺動可能となっている。したがって、使用者が被操作部５２（押し釦Ａ）を押圧すると、躯体５０は挟持部分４１を中心として揺動方向Ｓへ揺動し、これに伴って結合部８０Ａがスイッチユニット２０の被駆動部２３を押し込み、押圧力を解除すると、スイッチユニット２０のばね力により結合部８０が押し戻されて元の位置に戻るという動作が行なわれ、スイッチングが行なわれる。
【００４３】
したがって、このスイッチ構造も、先の実施形態と同様に、繰り返し操作に対する耐久性と動作の確実性が優れたものとなる。
【００４４】
本発明は、上記実施形態に限定されるものではなく、種々の変形が可能である。
例えば、発光部には、ＬＥＤに変えて、光ファイバの出射端や小型ランプ等、種々の光源を用いることができる。
【００４５】
躯体の揺動の支点部を形成する係止爪及び挟持突起は少なくとも１個ずつ備えられればよく、図２及び図４の実施形態のように係止爪の両側に挟持突起を設けることの他、挟持突起の両側に係止爪を設けること、係止爪及び挟持突起を交互に配置するなどして各々複数設けることも可能である。
【００４６】
押し釦における結合部と、スイッチユニットにおける被駆動部との結合は、前述の構造による他、ねじ止めやピンの挿入等、種々の形態で行なうことができる。
【符号の説明】
【００４７】
１０：基板、    １１：嵌合孔、    ２０：スイッチユニット、    ２２：基部、    ２３：被駆動部、    ４０：押し釦、    ４１：挟持部分、    ５０：躯体、    ５１：枠部、    ５２：被操作部、    ６０：係止爪、    ６１：延在部、    ６２：フック部、    ７０：挟持突起、    ８０，８０Ａ：結合部、    ５１１ａ：側部、    ５１１ｃ：側部、    ５２２：透光部、    ８２１：係止部、    ８４１：先端部、    Ｐ：制御パネル部、    Ｓ：揺動方向
【図１】
2010218810.tif 000003
【図２】
2010218810.tif 000004
【図３】
2010218810.tif 000005
【図４】
2010218810.tif 000006
【図５】
2010218810.tif 000007